(57)【要約】【課題】雌端子が端子収容部内でがたつくことを防止する。【解決手段】接続部２５と電線Ｗの端末に圧着される圧着部２３とが直角をなして連設された雌端子２０と、接続部収容室４２と圧着部受け部５０とを直角に連設してなる端子収容部４１を有するコネクタハウジング４０と、コネクタハウジング４０の後面開口を塞いで装着されるカバー７０と、が備えられる。カバー７０の内面には端子押さえ部７５が設けられ、端子押さえ部７５には、雌端子２０の圧着部２３の後方に面した側面を押圧して、接続部２５に設けられたロック片３５のフォロワ部３８を、収容室４２の対向した側壁に設けられた対応するカム部５５に押し付けるように機能する側面押さえ部７６と、圧着部２３の上面を押さえる上面押さえ部７７と、圧着部２３の軸線方向の前面を突き当てる前面押さえ部７８と、が設けられている。【選択図】図１８
2014120253.tif 000002
【特許請求の範囲】
【請求項１】
相手の雄端子が挿入接続される接続部と電線の端末に圧着される圧着部とが直角をなして連設された雌端子と、
この雌端子が後方から挿入され同雌端子のうち前記接続部をランスにより抜け止めして収容する接続部収容室と、前記圧着部を受ける圧着部受け部とを直角に連設してなる端子収容部を有するコネクタハウジングと、
このコネクタハウジングの後面開口を塞いで装着されるカバーと、
前記雌端子の前記接続部内に設けられ前記雄端子が所定量挿入されたところで同雄端子に弾性的に係止してロックするロック片と、
このロック片の両側縁に設けられたフォロワ部と、
前記端子収容部における前記接続部収容室の対向した両側壁に形成され、前記雌雄の端子がロックされた状態から前記コネクタハウジングが後方へ移動することに伴い前記フォロワ部と係合して前記ロック片をロック解除方向に弾性変位させるカム部と、
前記カバーの内面に設けられた端子押さえ部と、が備えられ、
この端子押さえ部には、前記雌端子における前記圧着部の後方に面した側面を押圧して前記フォロワ部を対応する前記カム部に押し付けるように機能する側面押さえ部と、前記圧着部の上面を押さえる上面押さえ部と、前記圧着部の軸線方向の前面を突き当てる前面押さえ部と、が設けられていることを特徴とするコネクタ。
【請求項２】
前記端子押さえ部における前記上面押さえ部の押さえ面は、前記雌端子の前記接続部に向けて上り勾配となったテーパ面となっていることを特徴とする請求項１記載のコネクタ。
【発明の詳細な説明】
【技術分野】
【０００１】
本発明は、雌雄の端子同士自身を互いにロックして接続状態に維持する形式のコネクタに関する。
【背景技術】
【０００２】
この種のコネクタの一例として下記特許文献１に記載のものが知られている。このものは、相手の雄端子が挿入接続される接続部を設けた雌端子と、この雌端子が後方から挿入されてランスにより抜け止めして収容される端子収容部を有する雌ハウジングとが備えられ、雌端子の接続部内には、雄端子に設けられた係止孔に係止可能な突起を備えたロック片が弾性撓み可能に設けられるとともに、雌ハウジングには、ロック片をロック解除方向に撓み変位させることが可能な解除部材が装着された構造である。
【０００３】
そして、このコネクタが相手の機器側コネクタに嵌合されると、雌ハウジングに収容された雌端子の接続部内に、相手の雄端子がロック片を撓み変位させつつ挿入され、所定量挿入されたところでロック片の復動変位を伴い突起が係止孔に嵌ってロックされ、すなわち雌雄の端子が接続状態に維持される。一方、両端子の接続を解除するには、解除部材でロック片を押圧してロックを解除し、引き続いて雌ハウジングを後方に引っ張ることで両端子の接続を解除するようになっている。しかるにこの従来構造では、ロック片によるロックの解除をする部分において、解除部材を後付けする必要があって構造が複雑化し、また解除操作も面倒であるといった問題点が残る。
【０００４】
そこで改良策として、ロック片の両側縁にフォロワ部を設ける一方、端子収容部の対向した両側壁に同フォロワ部が係合するカム部を形成し、雌雄の端子がロックされた状態から雌ハウジングを後方へ移動させると、フォロワ部がカム部に係合することによるカム作用によってロック片がロック解除方向に撓み変位し、もって雌雄の端子間のロックが解除されるようにしたものが提案された。
【先行技術文献】
【特許文献】
【０００５】
【特許文献１】特開平４−１４７７５号公報
【発明の概要】
【発明が解決しようとする課題】
【０００６】
ここでコネクタの形式として、雌端子が、相手の雄端子が挿入接続される接続部と電線の端末に圧着されるバレル部とが直角をなして連設されたＬ型をなし、同雌端子が雌ハウジング内に後方から挿入されて上記のように接続部が端子収容部内に抜け止めされて収容される一方、電線が雌ハウジングの側面から直角をなして引き出される形式のものが知られている。  
この種のコネクタでは、雌雄の端子が接続された状態において雌端子から直角に引き出された電線が例えば上下方向の振動を受けると、雌端子の接続部が軸線回りに回動するいわゆるローリングと称するがたつきを生じ、ロック片が捻れた形態を採るおそれがある。この状態から、雌雄の端子のロックを外すべく雌ハウジングを引っ張ると、一方のフォロワ部しかカム部と係合しない片利きとなり、ロックが確実に外れないおそれがある。  
本発明は上記のような事情に基づいて完成されたものであって、その目的は、雌端子が端子収容部内でがたつくことを防止するところにある。
【課題を解決するための手段】
【０００７】
本発明のコネクタは、相手の雄端子が挿入接続される接続部と電線の端末に圧着される圧着部とが直角をなして連設された雌端子と、この雌端子が後方から挿入され同雌端子のうち前記接続部をランスにより抜け止めして収容する接続部収容室と、前記圧着部を受ける圧着部受け部とを直角に連設してなる端子収容部を有するコネクタハウジングと、このコネクタハウジングの後面開口を塞いで装着されるカバーと、前記雌端子の前記接続部内に設けられ前記雄端子が所定量挿入されたところで同雄端子に弾性的に係止してロックするロック片と、このロック片の両側縁に設けられたフォロワ部と、前記端子収容部における前記接続部収容室の対向した両側壁に形成され、前記雌雄の端子がロックされた状態から前記コネクタハウジングが後方へ移動することに伴い前記フォロワ部と係合して前記ロック片をロック解除方向に弾性変位させるカム部と、前記カバーの内面に設けられた端子押さえ部と、が備えられ、この端子押さえ部には、前記雌端子における前記圧着部の後方に面した側面を押圧して前記フォロワ部を対応する前記カム部に押し付けるように機能する側面押さえ部と、前記圧着部の上面を押さえる上面押さえ部と、前記圧着部の軸線方向の前面を突き当てる前面押さえ部と、が設けられているところに特徴を有する。
【０００８】
電線の端末に接続された雌端子は、接続部を前方に向けた姿勢でコネクタハウジングの端子収容部に後方から挿入され、接続部は接続部収容室内の正規位置まで挿入されたところでランスにより弾性的に係止されて抜け止めされ、併せて圧着部が圧着部受け部で受けられて、電線が側方に直角姿勢で引き出される。係る状態から、コネクタハウジングの後面開口を塞ぐようにカバーが装着され、カバーの内面に設けられた端子押さえ部のうち、側面押さえ部が圧着部における後方に面した側面を前方に押圧してロック片の両フォロワ部を対応するカム部に押し付け、それに伴い上面押さえ部が圧着部の上面に乗り上げて同圧着部を圧着部受け部に押し付け、また前面押さえ部が圧着部の軸線方向の前面と対向する。この状態から当該コネクタが相手側に嵌合されると、相手の雄端子が対応する雌端子の接続部内にロック片を弾性変位させつつ挿入され、所定量挿入されたところでロック片が復動変位して雄端子に係止することでロックされ、すなわち雌雄の端子が接続状態に維持される。
【０００９】
この間、例えば電線が上下方向に振られた場合、雌端子の圧着部が上下に揺動することに起因して、接続部が軸線回りに回動するいわゆるローリングと称するがたつきを生じるおそれがあるが、カバーに設けられた端子押さえ部の上面押さえ部が圧着部を圧着部受け部に押し付けていることで、圧着部が上下に揺動することが規制され、ひいては接続部がローリングすることが防止される。  
また、電線が軸線方向に押し引きされた場合、雌端子の圧着部が軸線方向の前後に移動することに起因して、接続部がランスの係止位置を支点として左右に横揺れするようにがたつくおそれがあるが、接続部を一方向へ揺らしながらの圧着部の前方への移動は、その前面がカバーの端子押さえ部の前面押さえ部に当たることで規制され、また接続部を他方向へ揺らしながらの圧着部の後方への移動は、圧着部の前面角部が側面押さえ部に当たることで規制され、結果、接続部が横揺れすることも防止される。
【００１０】
すなわち、雌端子はその接続部ががたつくことなく収容室内に正規姿勢で収容されて相手の雄端子と接続された状態に維持され、したがってコネクタハウジングを引いた際に、ロック片の両フォロワ部が共に対応したカム部と係合することでロック片が正規にロック解除方向に弾性変位され、両端子間のロックが解除されて引き続きコネクタハウジングともども雌端子が相手の雄端子から解離される。  
なお、雌端子を端子収容部に収容した後にカバーが被着された場合に、端子押さえ部が雌端子を前方に押してロック片のフォロワ部がカム部に弾性的に押し付けられた形態となり、したがって雄端子と嵌合される前の状態において、雌端子の接続部が収容室内においてがたつきなく正規姿勢で収容され、そのため引き続く雌雄の端子の接続動作が、正確にかつスムーズに行われる。
【００１１】
また、前記端子押さえ部における前記上面押さえ部の押さえ面は、前記雌端子の前記接続部に向けて上り勾配となったテーパ面となっている構成としてもよい。  
雌端子の圧着部には、線径が異なる複数種の電線が圧着される場合があり、線種が異なると圧着部の背の高さが異なるため、一定高さ位置に押さえ面を配した上面押さえ部では、背の高さが異なる圧着部の全てを押し付けることができない。それに対して本構成では、上面押さえ部の押さえ面は、雌端子の接続部に向けて上り勾配となったテーパ面としているから、背の低い圧着部についてはテーパ面の奥側の位置で、背の高い圧着部についてはテーパ面の手前側の位置でそれぞれ押し下げることができ、併せて各圧着部の側面にも当接した状態となる。  
すなわち、線径が異なる各電線を圧着した圧着部の全てに対応して、上面押さえ部と側面押さえ部との機能を果たすことができる。
【発明の効果】
【００１２】
本発明のコネクタによれば、雌端子が端子収容部内でがたつくことを防止し、ひいては雌雄の端子間のロック解除を正確に行うことが可能となる。
【図面の簡単な説明】
【００１３】
【図１】本発明の一実施形態に係る雌ハウジングの正面図
【図２】同背面図
【図３】同平面図
【図４】同縦断面図
【図５】雌端子の正面図
【図６】同平面図
【図７】同右側面図
【図８】カバーの斜視図
【図９】同正面図
【図１０】同側面図
【図１１】同底面図
【図１２】雌端子の端子収容部への挿入動作を示す断面図
【図１３】カバーの装着動作を示す断面図
【図１４】カバーの装着完了状態の断面図
【図１５】同一部切欠斜視図
【図１６】図１４のXVI−XVI線断面図
【図１７】図１４のXVII−XVII線断面図
【図１８】雌端子と雄端子とが接続状態にロックされたときの断面図
【図１９】ロック解除された状態の断面図
【図２０】線径の太い電線を適用した場合におけるカバーの装着完了状態の断面図
【発明を実施するための形態】
【００１４】
＜実施形態＞
本発明の一実施形態を図１ないし図２０によって説明する。この実施形態では、車両のヘッドランプ用のコネクタを例示しており、コントロールボックスから引き出された電線の端末に設けられた雄コネクタと、ランプソケットから引き出された電線の端末に設けられた雌コネクタとが嵌合接続されるようになっており、雌コネクタに装備される端子にはファストン端子が適用されている。
【００１５】
雄コネクタは、図１８に参照して示すように、先端にタブ１１を有する３本の雄端子１０が、合成樹脂製の雄側のコネクタハウジング４０（雄ハウジング）に収容され、詳しくは図示しないが、各雄端子１０のタブ１１が、雄ハウジングの前面（嵌合端面）から所定の配置で前方に突出している。  
雌コネクタは、３本のファストン型の雌端子２０が、合成樹脂製の雌側のコネクタハウジング（雌ハウジング４０）内に収容され、同雌ハウジング４０の後面開口を塞いでカバー７０が装着された構造である。
【００１６】
雌端子２０は、図５ないし図７に示すように、前後方向に長い基板２１の前端部に、上記した相手の雄端子１０のタブ１１と接続される接続部２５が形成される一方、同基板２１の後方に、電線Ｗの端末が圧着されるバレル部２２が設けられている。  
詳細には、上記した基板２１は前端側が幅狭部２１Ａとされ、図５に示すように、幅狭部２１Ａの左右の側縁から、上方、外方さらに上方へとクランク状に曲げられた側板２６が立ち上がり形成され、両側板２６の上縁から所定間隔を開けて互いに向き合うように上板２７が直角曲げされ、さらに両上板２７の対向縁から挟持片２８が下向きに直角曲げされて形成されることにより、接続部２５が形成されている。
【００１７】
この接続部２５における幅広領域の下部側がタブ１１の圧入部２９となっており、そのため圧入部２９の間口はタブ１１の横幅にほぼ匹敵し、また挟持片２８の下縁と、圧入部２９の両側部に残った底面２９Ａとの間隔が、タブ１１の厚さよりも少し小さい寸法に設定されている。  
接続部２５の底面を構成する基板２１の幅狭部２１Ａには、後記するランス４５が嵌るランス孔３０が形成されている。
【００１８】
バレル部２２は、被覆電線からなる電線Ｗにおける芯線Ｗ１の端末がかしめられるワイヤバレル２３と、被覆Ｗ２の端末がかしめられるインシュレーションバレル２４とが縦列して配された構造であって、上記した基板２１の後縁に、直交した姿勢で連設されている。端的には、雌端子２０は、接続部２５とバレル部２２とが直角をなして連設されたＬ型に形成されている。  
なお、ここでは、電線径が小さい小径の電線Ｗを適用した場合を例示している。
【００１９】
電線Ｗの端末に雌端子２０を接続するには、電線Ｗの端末を皮剥きして芯線Ｗ１を露出させる端末処理が施され、電線Ｗにおける芯線Ｗ１の端末が雌端子２０のワイヤバレル２３に、被覆Ｗ２の端末がインシュレーションバレル２４にそれぞれかしめ圧着される。これにより電線Ｗは、雌端子２０の後端から直角をなして引き出された形態となる。
【００２０】
まず雄端子１０と雌端子２０とのロック構造について説明する。図１８に示すように、雄端子１０に設けられたタブ１１の先端寄りの位置には、係止孔１２が開口されている。
雌端子２０側では接続部２５内にロック片３５が設けられている。このロック片３５は、基板２１の先端縁から突出形成された舌片が、後方に向けてやや先上がりの姿勢に折り返されることで形成されており、同ロック片３５の先端は、図７に示すように、接続部２５内の奥行のほぼ中央部で、かつ圧入部２９内に入り込んだ位置まで延出している。このロック片３５の先端部の表面には、上記した雄端子１０のタブ１１に開口された係止孔１２に嵌って係止する係止突部３６が形成されている。
【００２１】
雌ハウジング４０は、図１ないし図４に示すように、やや厚肉で短寸の角筒形に形成されており、その３周壁においてそれぞれ、上記した雌端子２０を収容する端子収容部４１が形成されている。端子収容部４１は、図４に示すように、その前側の大部分の領域が、雌端子２０の接続部２５が後方から略緊密に挿入される前後方向に延びた接続部収容室４２（以下、単に収容室４２）とされている。各端子収容部４１の底壁は、それぞれ当該雌ハウジング４０の方形断面をなす中空部４４に面した配置で形成されている。  
収容室４２の前面壁４２Ａには、相手の雄端子１０のタブ１１が挿入可能な端子挿入口４３が、当該収容室４２に正規挿入された雌端子２０の接続部２５における圧入部２９の前方に対応するようにして形成されている。
【００２２】
収容室４２の底壁には、雌端子２０に係止して抜け止めするランス４５が設けられている。ランス４５は前方に延びた片持ち状に形成され、その先端の上面にランス孔３０に嵌る突起４６が形成され、先端側が上下方向に弾性撓み可能となっている。収容室４２の天井面には、雌端子２０の接続部２５における左右の上板２７の対向端縁の間の隙間に進入可能な、誤挿入防止用のリブ４８が形成されている。
【００２３】
端子収容部４１の後端部は、後面に開口していることに加えて、雌ハウジング４０の正面視で左側面に開口するように延びて形成されており、この左側面に向けて延びた領域の段差状となった底面が、雌端子２０のバレル部２２を受けるバレル受け部５０となっているとともに、左側面の開口が、電線Ｗを外部に導出する導出口５１となっている。
【００２４】
雌端子２０は、図１２に示すように、雌ハウジング４０における対応する端子収容部４１に後方から挿入されて、接続部２５はランス４５を弾性撓みさせつつ押し込まれ、正規位置まで押し込まれると、図１３に示すように、ランス４５が復動変位しつつ突起４６がランス孔３０に嵌り込み、これにより接続部２５が後方へ抜け止めされた状態で収容室４２内に収容される。それとともに、雌端子２０のバレル部２２が、端子収容部４１の後端部に設けられたバレル受け部５０上に受けられるようになっている。  
なお、雄コネクタ側では、３個の雄端子１０の各タブ１１が、雄ハウジングの前面（嵌合端面）から、雌ハウジング４０における３個の端子収容部４１（収容室４２）と対応した配列で突出している。
【００２５】
次に、雄端子１０と雌端子２０と間のロックを解除する部分の構造について説明する。図５ないし図７に示すように、雌端子２０の接続部２５に設けられたロック片３５には、その先端部の左右両側縁に張り出し片３７が面一に形成されており、各張り出し片３７の張り出し端部が、接続部２５の側板２６に開口された窓孔２６Ａを通して、圧入部２９の左右の側面よりもさらに外方に突出しており、この突出した張り出し端部がフォロワ部３８とされている。このフォロワ部３８は自然状態では、図７に示すように、ロック片３５と同じに先上がりの斜め姿勢を採るようになっており、同フォロワ部３８の基端部（同図の左端部）は、円弧状に曲げられて誘い部３８Ａが形成されている。
【００２６】
収容室４２の左右の側壁には、図４に示すように、上記したロック片３５の先端に設けられた左右のフォロワ部３８が進入可能な凹部５４が形成されており、この凹部５４の天井縁にフォロワ部３８が摺接するカム部５５が形成されている。  
凹部５４は詳細には、側壁の後縁（一方の側壁では導出口５１の口縁）から前縁よりも少し入った位置に亘って形成されている。この凹部５４の天井縁は、後縁からランス４５の突起４６の後端（裾部）に相当する位置に亘る領域に、上記した誤挿入防止用のリブ４８の下面の高さ位置にほぼ匹敵する高位の後側ストレート部５６が形成されており、その後側ストレート部５６の前縁から、ランス４５の突起４６の少し前方に相当する位置に亘る領域に、傾斜角が約３０度の下り勾配となったテーパ部が形成され、このテーパ部が上記したカム部５５となっている。カム部５５の前方には、低位の前側ストレート部５７が形成されている。
【００２７】
上記したカム部５５の上端部は、収容室４２に雌端子２０の接続部２５が挿入された場合において、自然状態にあるロック片３５のフォロワ部３８が当接可能な高さ位置にある。一方、カム部５５の下端部は、詳しくは後記するように、フォロワ部３８が当接した場合に、雄端子１０とのロックが解除されるに足るロック片３５の撓み量を確保できる高さ位置にある。
【００２８】
雌ハウジング４０の後面には、合成樹脂製のカバー７０が装着されるようになっている。雌ハウジング４０の後面には、図１６に示すように、所定深さの装着凹部６０が形成されている一方、カバー７０は、図８ないし図１１に示すように、同装着凹部６０内に嵌って後面の全面を覆うことが可能な板状に形成されている。  
カバー７０の内面の中央部には、上下一対の位置決め部７１が突出形成され、両位置決め部７１は、雌ハウジング４０の中空部４４における後端側の上下両側面の内側に緊密に進入可能となっている。
【００２９】
同カバー７０の内面における上記の位置決め部７１を挟んだ左右両側には、対をなすロックアーム７３が形成されている。両ロックアーム７３は、枠状をなして前方に延びた形態で形成され、延出縁側が弾性撓み可能であって、その延出縁に被係止部７４が設けられている。両ロックアーム７３は、雌ハウジング４０の中空部４４における左右両側面の内側に、後方から緊密に進入可能とされている。  
一方、雌ハウジング４０の中空部４４の左右両側面には、後縁から所定寸法入った位置において、ロックアーム７３の溝７３Ａの先端側に嵌合して被係止部７４に係止するロック突部６２が形成されている。
【００３０】
カバー７０は、左右のロックアーム７３を中空部４４の左右の側面の内側に緊密に差し入れて後方から押し込まれ、途中で被係止部７４がロック突部６２に乗り上げてロックアーム７３が弾性撓みし、また上下の位置決め部７１が中空部４４の上下の側面の内側に緊密に進入しつつ押し込まれ、図１６に示すように、カバー７０の周縁が装着凹部６０の段差面６０Ａに当たる正規位置まで押し込まれると、被係止部７４がロック突部６２を通過することで、ロックアーム７３が復動しつつロック突部６２が溝７３Ａ内に嵌って被係止部７４に係止し、これによりカバー７０が後方に外れ止めされて装着されるようになっている。
【００３１】
さて、カバー７０の内面には、上記した３本の端子収容部４１の後方に対応する位置ごとに、端子押さえ部７５が形成されている。  
端子押さえ部７５は大まかには、カバー７０が上記した正規位置に装着された場合において、端子収容部４１に正規収容された雌端子２０における圧着されたワイヤバレル２３と係合するようになっている。
【００３２】
端子押さえ部７５は、図８及び図９等に示すように、側面押さえ部７６と、上面押さえ部７７と、前面押さえ部７８とを備えている。側面押さえ部７６は、正面方形をなして手前側に所定厚さ張り出すようにして形成されており、カバー７０の装着に伴って、同側面押さえ部７６が対応するワイヤバレル２３の後方に面した側面に当たって若干前方に押圧し、接続部２５のロック片３５に設けられたフォロワ部３８をカム部５５に対して若干押し付けることができるようになっている。
【００３３】
上面押さえ部７７は、上記した側面押さえ部７６の上縁から手前側に突出した厚肉の庇状に形成されており、カバー７０の装着に伴い、同上面押さえ部７７の下面である押さえ面７７Ａが、ワイヤバレル２３の上面を押してバレル受け部５０に押し付けるように機能する。ただし、この押さえ面７７Ａは、奥端側が、小型の電線Ｗに圧着された場合のワイヤバレル２３の上面に丁度当接する高さ位置にあり、そこから手前側に向けて約２５度の上り勾配となったテーパ面として形成されている。
【００３４】
前面押さえ部７８は、上記した側面押さえ部７６における右側縁（厳密には、正面視で時計回り方向の前方の側縁）から、上面押さえ部７７と同じ寸法だけ張り出すようにして形成され、上面押さえ部７７とともに正面Ｌ型に形成されている。この前面押さえ部７８は、カバー７０の装着に伴い、ワイヤバレル２３の軸線方向の前面（図１７における反時計回り方向の前側の面）の直前に対向するように機能する。
【００３５】
本実施形態は上記のような構造であって、続いてその作用を説明する。  
雌コネクタは、以下のようにして組み立てられる。３本の小径の電線Ｗが準備され、既述したように、それぞれ端末処理が施されたのち、露出された芯線Ｗ１がワイヤバレル２３に、被覆Ｗ２がインシュレーションバレル２４にそれぞれかしめ圧着されて、各電線Ｗの端末に雌端子２０が接続される。電線Ｗは、雌端子２０の後端から直角をなして引き出された形態となる。
【００３６】
電線Ｗの端末に接続された雌端子２０は、図１２の矢線に示すように、雌ハウジング４０に形成された対応する端子収容部４１内に後方から挿入され、雌端子２０の接続部２５が収容室４２内の正規位置まで挿入されたところで、図１３に示すように、ランス４５により抜け止めされて収容され、それとともに、圧着されたワイヤバレル２３がインシュレーションバレル２４ともども、バレル受け部５０上に受けられる。
【００３７】
続いて、カバー７０が、図１３の矢線に示すように、雌ハウジング４０の後面の装着凹部６０内に嵌められる。カバー７０は、図１６にも示すように、左右のロックアーム７３の被係止部７４がロック突部６２に係止されることで、外れ止めされて正規装着される。
このようにカバー７０が装着されると、図１４に示すように、カバー７０の内面に設けられた端子押さえ部７５の側面押さえ部７６が、対応する雌端子２０の圧着されたワイヤバレル２３の側面を前方に押圧して、接続部２５に設けられたロック片３５の左右のフォロワ部３８を、対応するカム部５５に押し付ける。
【００３８】
それとともに、上面押さえ部７７がワイヤバレル２３の上面に乗り上げ、逆に言うと、ワイヤバレル２３が上面押さえ部７７の奥まで押し込まれた形態となり、押さえ面７７Ａの奥端がワイヤバレル２３の上面を押して、バレル受け部５０に押し付けて固定する。また、図１７に示すように、前面押さえ部７８がワイヤバレル２３の軸線方向の前面の直前で対向する。  
以上により、雌コネクタの組み付けが完了し、３本の電線Ｗは、雌ハウジング４０の３側面から放射状に引き出された状態となる。
【００３９】
上記のように組み付けが完了した雌コネクタが、相手の雄コネクタと嵌合される。両コネクタが嵌合されると、雄ハウジングから突出された雄端子１０のタブ１１が、雌ハウジング４０の対応する端子収容部４１（収容室４２）の端子挿入口４３に挿入され、引き続いて収容室４２内に収容されている雌端子２０の接続部２５の圧入部２９内に前方から圧入される。タブ１１は、ロック片３５の先端に突設された係止突部３６に当たってその上を通過することで、ロック片３５の先端側を下方に弾性撓みさせつつ押し込まれ、雌雄のコネクタが正規に嵌合されたところで、タブ１１の係止孔１２がロック片３５の係止突部３６の位置に到り、図１８に示すように、ロック片３５が復動しつつ係止突部３６が係止孔１２の前側に嵌って前縁に係止することで、雄雌の端子１０，２０が解離不能状態にロックされる。
【００４０】
このとき、雄端子１０のタブ１１は、雌端子２０の接続部２５における圧入部２９に圧入され、主に上板２７の先端の挟持片２８と、圧入部２９の底面の両側部との間で弾性的に挟持されることで、雄雌の端子１０，２０同士が電気的に接続され、かつこの接続状態にロックされることになる。なお、ロック片３５のフォロワ部３８は、カム部５５から若干離間した状態となる。  
ここで、雄雌のコネクタを嵌合することに伴って対応する雄雌の端子１０，２０を接続するに当たり、雌端子２０の接続部２５は、カバー７０の側面押さえ部７６で前方に押されて、ロック片３５のフォロワ部３８がカム部５５に弾性的に押し付けられた形態で収容され、すなわち収容室４２内において、がたつきなく正規姿勢で待機しており、そのため引き続く雄雌の端子１０，２０の接続動作が、正確にかつスムーズに行われる。
【００４１】
メンテナンス等を行うに際して、雄雌のコネクタの嵌合を外しつつ雄雌の端子１０，２０の接続を解除する場合には、図１８に示す状態から、雌ハウジング４０を同図の矢線に示すように、所定以上の力で後方に引くと、雌端子２０が雄端子１０と結合されてロックされていることから、雌端子２０が端子収容部４１内を、より具体的には接続部２５が収容室４２内を相対的に前進するようになる。これに伴い、ロック片３５の両フォロワ部３８が対応するカム部５５に当たったのち、同カム部５５に沿ってその下端側に摺接する。
それに伴い、フォロワ部３８が押し下げられ、すなわちロック片３５の先端側がさらに下方に弾性撓みし、ついには、図１９に示すように、ロック片３５の係止突部３６がタブ１１の係止孔１２の下方に抜け、雄雌の端子１０，２０間のロックが解除される。そのため引き続いて雌ハウジング４０を後方に引っ張ると、雌端子２０が雌ハウジング４０ともども後方に移動して相手の雄端子１０と解離されることになる。
【００４２】
ここで、雄雌のコネクタが嵌合状態にある場合において、例えば図１５の矢線Ｘに示すように、電線Ｗが上下方向に振られた場合、雌端子２０のバレル部２２が上下に揺動することに起因して、接続部２５が軸線回りに回動するいわゆるローリングと称するがたつきを生じるおそれがあるが、カバー７０に設けられた端子押さえ部７５の上面押さえ部７７がワイヤバレル２３をバレル受け部５０に押し付けていることで、バレル部２２が上下に揺動することが規制され、ひいては接続部２５がローリングすることが防止される。
【００４３】
また、同図の矢線Ｙに示すように、電線Ｗが軸線方向に押し引きされた場合、雌端子２０のバレル部２２が軸線方向の前後に移動することに起因して、接続部２５がランス４５の係止位置を支点として左右に横揺れするようにがたつくおそれがあるが、接続部２５の先端側を一方向（図１５における正面視で左方向）へ揺らしながらのバレル部２２の前方への移動は、ワイヤバレル２３の前面が端子押さえ部７５における前面押さえ部７８に当たることで規制され、また接続部２５の先端側を他方向（同右方向）へ揺らしながらのバレル部２２の後方への移動は、ワイヤバレル２３の前面角部が側面押さえ部７６に当たることで規制され、結果、接続部２５が横揺れすることも防止される。
【００４４】
すなわち、雌端子２０はその接続部２５ががたつくことなく収容室４２内に正規姿勢で収容されて相手の雄端子１０と接続された状態に維持され、したがって雌ハウジング４０を引いた際には、上記したようにロック片３５の両フォロワ部３８が共に対応したカム部５５と係合することでロック片３５が正規にロック解除方向に撓み変位され、両端子１０，２０間のロック解除が確実に行われる。
【００４５】
なお、電線として、電線径が大きい大径の電線Ｗａを適用した場合は、図２０に示すように、かしめ圧着されたワイヤバレル２３の背が高くなる。  
したがってこの場合は、カバー７０を装着した際に、端子押さえ部７５の上面押さえ部７７における押さえ面７７Ａの奥端よりも少し手前の位置が、圧着されたワイヤバレル２３の側面の上縁を前方に押圧して、ロック片３５の左右のフォロワ部３８を、対応するカム部５５に押し付ける。  
それとともに、同上面押さえ部７７がワイヤバレル２３をバレル受け部５０に押し付けて固定し、また、前面押さえ部７８が、ワイヤバレル２３の軸線方向の前面の直前で対向する。
【００４６】
このように、大径の電線Ｗａを適用した場合は、雌端子２０の接続部２５は、カバー７０の上面押さえ部７７の押さえ面７７Ａがワイヤバレル２３を前方に押すことに伴って前方に押され、ロック片３５のフォロワ部３８がカム部５５に弾性的に押し付けられた形態で収容され、すなわち収容室４２内において、がたつきなく正規姿勢で待機しており、そのため引き続く雄雌の端子１０，２０の接続動作が、正確にかつスムーズに行われる。
【００４７】
雄雌のコネクタが嵌合状態にある場合において、電線Ｗａが上下方向に振られたとしても、上面押さえ部７７がワイヤバレル２３をバレル受け部５０に押し付けていることで、バレル部２２が上下に揺動することが規制され、ひいては接続部２５がローリングすることが防止される。  
また、電線Ｗａが軸線方向に押し引きされた場合は、接続部２５の先端側を一方向へ揺らしながらのバレル部２２の前方への移動は、ワイヤバレル２３の前面が前面押さえ部７８に当たることで規制され、また接続部２５の先端側を他方向へ揺らしながらのバレル部２２の後方への移動は、ワイヤバレル２３の前面角部が上面押さえ部７７の押さえ面７７Ａに当たることで規制され、結果、接続部２５が横揺れすることも防止される。  
そのため同様に、雌端子２０はその接続部２５ががたつくことなく収容室４２内に正規姿勢で収容されて相手の雄端子１０と接続された状態に維持され、雌ハウジング４０を引くことに伴う両端子間１０，２０のロック解除を確実に行うことができる。
【００４８】
以上のように本実施形態によれば、雌ハウジング４０の後面開口に装着されるカバー７０の内面に、側面押さえ部７６と、上面押さえ部７７と、前面押さえ部７８とからなる端子押さえ部７５が設けられ、カバー７０が装着されることに伴い、端子収容部４１に収容された雌端子２０における圧着されたワイヤバレル２３を上方から押さえて固定し、また、同圧着されたワイヤバレル２３の後方を向いた側面と、軸線方向の前面とに当たる部位が配された構造とされる。  
そのため、雄雌のコネクタが嵌合されて雄雌の端子１０，２０同士が接続状態にある場合において、電線Ｗ（Ｗａ）が上下方向に振られた際にも、バレル部２２が上下に揺動することが規制されて接続部２５がローリングすることが防止され、また電線Ｗ（Ｗａ）が軸線方向に押し引きされた場合も、接続部２５を揺動させながらのバレル部２２の前後方向の移動が規制されて、接続部２５が横揺れすることも防止される。  
結果、雌端子２０は接続部２５ががたつくことなく収容室４２内に正規姿勢で収容されて相手の雄端子１０と接続された状態に維持され、雌ハウジング４０を引いた際には、ロック片３５の両フォロワ部３８が共に対応したカム部５５と係合することでロック片３５が正規にロック解除方向に撓み変位され、両端子１０，２０間のロック解除を確実に行うことができる。
【００４９】
また、雌コネクタの組み立てに当たり、雌端子２０の収容後にカバー７０が被着されると、端子押さえ部７５が雌端子２０を前方に押してロック片３５のフォロワ部３８がカム部５５に弾性的に押し付けられた形態となり、すなわち接続部２５が収容室４２内においてがたつきなく正規姿勢で待機することになる。そのため引き続く雄雌の端子１０，２０の接続動作が、正確にかつスムーズに行われる。
【００５０】
雌端子２０のバレル部２２には、線径が異なる複数種の電線Ｗ，Ｗａが圧着される場合があり、線種が異なると圧着されたワイヤバレル２３の背の高さが異なるため、一定高さ位置にストレートの押さえ面を配した上面押さえ部では、背の高さが異なるワイヤバレル２３の全てを押し付けることができない。それに対してこの実施形態では、上面押さえ部７７の押さえ面７７Ａは、前方に向けて上り勾配となったテーパ面としているから、背の低いワイヤバレル２３については押さえ面７７Ａの奥側の位置で、背の高いワイヤバレル２３については押さえ面７７Ａの手前側の位置でそれぞれ押し下げることができ、併せて各ワイヤバレル２３の側面にも当接した状態となる。  
すなわち、線径が異なる各電線Ｗ，Ｗａを圧着したワイヤバレル２３の全てに対応して、上面押さえ部と側面押さえ部との機能を果たすことができる。
【００５１】
＜他の実施形態＞
本発明は上記記述及び図面によって説明した実施形態に限定されるものではなく、例えば次のような実施形態も本発明の技術的範囲に含まれる。  
（１）本発明は、雌端子のバレル部としてワイヤバレルのみを備えたものについても同様に適用することができる。  
（２）上記実施形態では、雌コネクタとして、Ｌ型をなす３本の雌端子を雌ハウジングの異なった面にそれぞれ装着した構造のものを例示したが、雌端子の数は１本でも２本でもよく、また雌ハウジングの形状等の条件によっては、４本以上の雌端子を装着するものであってもよい。  
（３）端子としては、上記実施形態に例示したファストン端子に限らず、雌端子と雄端子とが対向方向に嵌合して接続される他の形式の端子であってもよい。  
（４）本発明は、上記実施形態に例示したヘッドランプ用コネクタに限らず、他の用途のコネクタについても広く適用することができる。
【符号の説明】
【００５２】
Ｗ，Ｗａ…電線
Ｗ１…芯線
１０…雄端子
１１…タブ
１２…係止孔
２０…雌端子
２２…バレル部
２３…ワイヤバレル（圧着部）
２５…接続部
３０…ランス孔
３５…ロック片
３６…係止突部
３８…フォロワ部
４０…雌ハウジング（コネクタハウジング）
４１…端子収容部
４２…接続部収容室
４５…ランス
４６…突起
５０…バレル受け部（圧着部受け部）
５５…カム部
７０…カバー
７５…端子押さえ部
７６…側面押さえ部
７７…上面押さえ部
７７Ａ…押さえ面
７８…前面押さえ部
【図１】
2014120253.tif 000003
【図２】
2014120253.tif 000004
【図３】
2014120253.tif 000005
【図４】
2014120253.tif 000006
【図５】
2014120253.tif 000007
【図６】
2014120253.tif 000008
【図７】
2014120253.tif 000009
【図８】
2014120253.tif 000010
【図９】
2014120253.tif 000011
【図１０】
2014120253.tif 000012
【図１１】
2014120253.tif 000013
【図１２】
2014120253.tif 000014
【図１３】
2014120253.tif 000015
【図１４】
2014120253.tif 000016
【図１５】
2014120253.tif 000017
【図１６】
2014120253.tif 000018
【図１７】
2014120253.tif 000019
【図１８】
2014120253.tif 000020
【図１９】
2014120253.tif 000021
【図２０】
2014120253.tif 000022